(57)【要約】【課題】  従来のイコライザは、入出力端子間を接続する主線路にバラクタを用いているので、温度変動やバラクタを制御する電源電圧変動によって振幅周波数特性も変化するという問題があった。【解決手段】  信号が入出力される主線路と電磁的に結合された伝送線路に、一端が接地された１以上のスイッチを接続して、結合線路を接地と短絡または接地から開放するので、バラクタを用いた場合よりも温度変動または電源電圧変動による影響を受けずに振幅周波数特性を変更させることができる。【選択図】        図１
2015233265.tif 000002
【特許請求の範囲】
【請求項１】
信号が入出力される主線路と、
前記主線路に電磁的に結合された結合線路と、
一端が接地され、他端が前記結合線路に接続された１以上のスイッチと
を備えたことを特徴とするイコライザ。
【請求項２】
一端が接地され、他端が前記主線路に接続された抵抗を更に備えたことを特徴とする請求項１に記載のイコライザ。
【請求項３】
前記スイッチは、一端が接地されたキャパシタの他端と前記結合線路を接続、または一端が接地されたインダクタの他端と前記結合線路を接続、または前記キャパシタと前記インダクタから遮断する切り換えを行うことを特徴とする請求項１または請求項２のいずれか１項に記載のイコライザ。
【請求項４】
前記抵抗は、一端が接地されたスイッチに接続されたことを特徴とする請求項１〜３のいずれか１項に記載のイコライザ。
【請求項５】
一端が前記主線路と結合され、他端が前記結合線路に結合された１以上の抵抗を更に備えたことを特徴とする請求項１〜４のいずれか１項に記載のイコライザ。
【請求項６】
一端が前記主線路と結合され、他端が前記結合線路に結合された１以上のキャパシタを更に備えたことを特徴とする請求項１〜４のいずれか１項に記載のイコライザ。
【請求項７】
動作周波数が通過または遮断される周波数の半分になるように、前記結合線路の電気長を設定することを特徴とする請求項１〜６のいずれか１項に記載のイコライザ。
【請求項８】
前記主線路と前記結合線路を誘電体基板上に形成し、
前記スイッチを半導体基板上に形成し、
前記スイッチの開閉を制御するスイッチ制御回路を更に備えたことを特徴とする請求項１〜７のいずれか１項に記載のイコライザ。
【請求項９】
前記主線路と前記結合線路と前記スイッチを半導体基板上に形成し、
前記スイッチの開閉を制御するスイッチ制御回路を更に備えたことを特徴とする請求項１〜７のいずれか１項に記載のイコライザ。
【請求項１０】
前記主線路と当該主線路に信号が入力される側に接続され、当該主線路に入力される信号の一部を出力する結合器と、
前記結合器に接続され、当該結合器から入力された信号から振幅周波数特性を検出し、検出した振幅周波数特性を出力する検波回路と、
前記検波回路に接続され、前記振幅周波数特性に基づいて制御信号を生成し、生成した制御信号を出力する制御信号生成回路と、
前記制御信号生成回路に接続され、前記制御信号に基づいて、前記スイッチを切り換えるスイッチ制御回路と
を更に備えたことを特徴とする請求項１〜９のいずれか１項に記載のイコライザ。
【請求項１１】
前記主線路と当該主線路から信号が出力される側に接続され、当該主線路から出力される信号の一部を出力する結合器と、
前記結合器に接続され、当該結合器から入力された信号から振幅周波数特性を検出し、検出した振幅周波数特性を出力する検波回路と、
前記検波回路に接続され、前記振幅周波数特性に基づいて制御信号を生成し、生成した制御信号を出力する制御信号生成回路と、
前記制御信号生成回路に接続され、前記制御信号に基づいて、前記スイッチを切り換えることを特徴とするスイッチ制御回路と
を更に備えたことを特徴とする請求項１〜９のいずれか１項に記載のイコライザ。
【請求項１２】
２以上の前記主線路、前記結合線路、および前記スイッチを備えたイコライザであって、
第１の前記主線路と当該第１の主線路に信号が入力される側に接続され、当該主線路に入力される信号の一部を出力する第１の結合器と、
該第１の結合器に接続され、当該第１の結合器から入力された信号から第１の振幅周波数特性を検出し、第１の振幅周波数特性を出力する第１の検波回路と、
第２の前記主線路と当該第２の主線路に信号が入力される側に接続され、当該第２の主線路に入力される信号の一部を出力する第２の結合器と、
該第２の結合器に接続され、当該第２の結合器から入力された信号から第２の振幅周波数特性を検出し、前記第２の振幅周波数特性を出力する第２の検波回路と、
前記第１の検波回路と前記第２の検波回路に接続され、前記第１の周波数特性に基づいて第１の制御信号を生成し、当該第１の制御信号を出力し、前記第２の周波数特性に基づいて第２の制御信号を生成し、当該第２の制御信号を出力する制御信号生成回路と、
前記制御信号生成回路に接続され、前記第１の主線路に対応した第１の前記スイッチを前記第１の周波数特性に基づいて切り換える第１のスイッチ制御回路と、
前記制御信号生成回路に接続され、前記第２の主線路に対応した第２の前記スイッチを前記第１の周波数特性に基づいて切り換える第２のスイッチ制御回路と
を更に備えたことを特徴とする請求項１〜９のいずれか１項に記載のイコライザ。
【請求項１３】
２以上の前記主線路、前記結合線路、および前記スイッチを備えたイコライザであって、
第１の前記主線路と当該第１の主線路から信号が出力される側に接続され、当該主線路から出力される信号の一部を出力する第１の結合器と、
該第１の結合器に接続され、当該第１の結合器から入力された信号から第１の振幅周波数特性を検出し、第１の振幅周波数特性を出力する第１の検波回路と、
第２の前記主線路と当該第２の主線路から信号が出力される側に接続され、当該第２の主線路から出力される信号の一部を出力する第２の結合器と、
該第２の結合器に接続され、当該第２の結合器から入力された信号から第２の振幅周波数特性を検出し、第２の振幅周波数特性を出力する第２の検波回路と、
前記第１の検波回路と前記第２の検波回路に接続され、前記第１の周波数特性に基づいて第１の制御信号を生成し、当該第１の制御信号を出力し、前記第２の周波数特性に基づいて第２の制御信号を生成し、当該第２の制御信号を出力する制御信号生成回路と、
前記制御信号生成回路に接続され、前記第１の主線路に対応した第１の前記スイッチを前記第１の周波数特性に基づいて切り換える第１のスイッチ制御回路と、
前記制御信号生成回路に接続され、前記第２の主線路に対応した第２の前記スイッチを前記第２の周波数特性に基づいて切り換える第２のスイッチ制御回路と
を更に備えたことを特徴とする請求項１〜９のいずれか１項に記載のイコライザ。
【発明の詳細な説明】
【技術分野】
【０００１】
本発明は、信号の振幅周波数特性を変更させるイコライザに関するものである。
【背景技術】
【０００２】
従来のイコライザは、例えば図１８に示すように、入出力端子間を接続する主線路にバラクタ１０、１１を備え、バラクタの容量を変化させることによって、振幅周波数特性を変化させるものである（特許文献１）。
【０００３】
【特許文献１】特開２０１３−１６２２６２号公報
【発明の概要】
【発明が解決しようとする課題】
【０００４】
しかし、従来のイコライザは、入出力端子間を接続する主線路にバラクタを用いているので、温度変動やバラクタを制御する電源電圧変動によって振幅周波数特性も変化するという問題があった。
この発明はこのような問題点を解決するために、主線路と電磁的に結合された結合線路に接続されたスイッチで、結合線路を接地と短絡または接地から開放することによって振幅周波数特性を変化できるイコライザを得ることを目的とする。
【課題を解決するための手段】
【０００５】
この発明に係るイコライザは、信号が入出力される主線路と、前記主線路に電磁的に結合された結合線路と、一端が接地され、他端が前記結合線路に接続された１以上のスイッチとを備えたことを特徴とする。
【発明の効果】
【０００６】
この発明は、信号が入出力される主線路と電磁的に結合された伝送線路に、一端が接地された１以上のスイッチを接続して、結合線路を接地と短絡または接地から開放するので、バラクタを用いた場合よりも温度変動または電源電圧変動による影響を受けずに振幅周波数特性を変更させることができる。
【図面の簡単な説明】
【０００７】
【図１】この発明の実施の形態１における、可変イコライザ１の構成図である。
【図２】この発明の実施の形態１における、可変イコライザ１の周波数特性を示す図である。
【図３】この発明の実施の形態２における、可変イコライザ１の構成図である。
【図４】この発明の実施の形態２における、可変イコライザ１の構成図である。
【図５】この発明の実施の形態３における、可変イコライザ１の構成図である。
【図６】この発明の実施の形態３における、可変イコライザ１の周波数特性を示す図である。
【図７】この発明の実施の形態４における、可変イコライザ１の構成図である。
【図８】この発明の実施の形態５における、可変イコライザ１の構成図である。
【図９】この発明の実施の形態６における、可変イコライザ１の構成図である。
【図１０】この発明の実施の形態７における、可変イコライザ１の構成図である。
【図１１】この発明の実施の形態８における、可変イコライザ１の構成図である。
【図１２】この発明の実施の形態９における、可変イコライザ１の構成図である。
【図１３】この発明の実施の形態１０における、可変イコライザ１の構成図である。
【図１４】この発明の実施の形態１０における、可変イコライザ１０１の動作を示す図である。
【図１５】この発明の実施の形態１１における、可変イコライザ１の構成図である。
【図１６】この発明の実施の形態１２における、可変イコライザ１の構成図である。
【図１７】この発明の実施の形態１３における、可変イコライザ１の構成図である。
【図１８】この発明における従来技術のイコライザの構成図である。
【発明を実施するための形態】
【０００８】
実施の形態１．
図１は、この発明の実施の形態１における、可変イコライザ１の構成図である。
図１において、可変イコライザ１は、入力端子２ａ、出力端子２ｂ、主線路３、シャント抵抗４、伝送線路５、スイッチ６ａ、６ｂ、６ｃから構成されている。
可変イコライザ１はイコライザ、シャント抵抗４は抵抗、伝送線路５は結合線路のことを示す。
入力端子２ａは、一端が振幅周波数特性を変更する信号が送信される機器（図示せず）に接続され、他端が主線路３に接続されている。
出力端子２ｂは、一端が振幅周波数特性を変更した信号を送信する機器（図示せず）に接続され、他端が主線路３に接続されている。
【０００９】
主線路３の一端には入力端子２ａが接続され、他端には出力端子２ｂが接続されている。また、主線路３は伝送線路５と電磁的に結合されている。そして、主線路３が伝送線路５と電磁的に結合されていない側面のいずれかの位置に、シャント抵抗４が接続されている。本実施の形態では、図１に示すように、主線路３の両端から同じ距離の位置であって、主線路３の中央の位置にシャント抵抗４が接続されているとして説明する。
【００１０】
シャント抵抗４は、一端が接地され、他端が主線路３と接続されている。本実施の形態では、１つの抵抗が接続されている例を示しているが、１つ以上の抵抗が接続されていてもよい。
伝送線路５は、主線路３と電磁的に結合されている。そして、伝送線路５が主線路３と電磁的に結合されていない側面の両端の位置にスイッチ６ａと６ｃが接続されている。また、伝送線路５が主線路３と電磁的に結合されていない側面の両端から同じ距離であって、伝送線路５の中央の位置にスイッチ６ｂが接続されている。尚、本実施の形態では、３つのスイッチ６が伝送線路５に接続されているとして説明するが、１つ以上のスイッチが接続されていればよい。
スイッチ６は、一端が接地に接続されており、他端が伝送線路５に接続されている。そして、伝送線路５を接地と短絡または接地から開放するように切り換えることができる。
【００１１】
次に、可変イコライザ１の動作について説明する。
図２は、この発明の実施の形態１における、可変イコライザ１の周波数特性を示す図である。
伝送線路５の電気長が９０ｄｅｇ．となる周波数を通過・減衰周波数と呼ぶことにする。スイッチ６ａ、６ｂ、６ｃを全て接地と短絡、または全て接地から開放した状態にしたとき、周波数が高くなると通過振幅は増加し、通過・減衰周波数において通過状態となり、通過振幅が最も大きくなる。この状態を第一の状態と呼ぶ。
【００１２】
一方、伝送線路５の両端に接続されたスイッチ６ａもしくは６ｃを接地と短絡の状態にしたとき、周波数が高くなると通過振幅は減衰し、通過・減衰周波数において遮断状態となり、通過振幅が最も低くなる。この状態を第二の状態と呼ぶ。
【００１３】
また、伝送線路５の両端に接続されたスイッチ６ａおよびスイッチ６ｃを接地と短絡の状態にすると、周波数が高くなると通過振幅は減衰し、通過・減衰周波数において遮断状態となる。しかし、第二の状態とは異なり、遮断状態になるまで第二の状態よりも通過振幅の減衰が少なく、通過・減衰周波数に近づいたところで通過振幅が大きく減衰し、通過振幅が最も低くなるような周波数特性を示す。
【００１４】
ここで、動作周波数が通過・減衰周波数の半分になるように設定すると、例えば図２に示すように３つの異なる振幅周波数特性が得られる。第一の状態では周波数の増加に伴って通過振幅が増加する特性が得られる。また、第二の状態では、周波数の増加に伴って通過振幅が減衰する特性が得られる。また、第三の状態では、周波数が増加しても通過振幅が増加または減衰することなく変わらない（平坦な）特性が得られる。
【００１５】
以上のように、信号が入出力される主線路３と電磁的に結合された伝送線路５に、基本特性として温度変動または電源電圧変動の影響が少ない１つ以上のスイッチ６を用いて、伝送線路５を接地と短絡または接地から開放してすることにより、振幅周波数特性を変化させることができるので、温度変動または電源電圧変動の影響が少ない可変イコライザを得ることができる。
【００１６】
また、伝送線路５に接続される１以上のスイッチ６を、異なる位置で接地と短絡または接地から開放することにより、異なる振幅周波数特性を得ることができる。例えば、増幅された信号を可変イコライザ１で調整する際には、伝送線路５の両端と中央に３つスイッチを設けることで得られる第一の状態の周波数特性が利用される。
尚、本実施の形態１では、スイッチが３つの場合について述べたが、スイッチの数を増やすことにより異なる振幅周波数特性の数を増やすことができる。
【００１７】
実施の形態２．
実施の形態１は、スイッチ６の接続または遮断によって、伝送線路５を接地と短絡または接地から開放するようにしたものであるが、次にキャパシタまたはインダクタを切り換えるようにした実施の形態を示す。
図３は、この発明の実施の形態２における、可変イコライザ１の構成図である。
図３において、キャパシタインダクタ切り換えスイッチ７ａは、キャパシタ８ａまたはインダクタ９ａと接続、またはキャパシタ８ａとインダクタ９ａと遮断するように切り換えを行う。
キャパシタ８ａは、一端が接地され、他端がキャパシタインダクタ切り換えスイッチ７ａに接続されている。
インダクタ９ａは、一端が接地され、他端がキャパシタインダクタ切り換えスイッチ７ａに接続されている。
【００１８】
また、キャパシタインダクタ切り換えスイッチ７ｂは、キャパシタ８ｂまたはインダクタ９ｂと接続、またはキャパシタ８ｂとインダクタ９ｂと遮断するように切り換えを行う。
キャパシタ８ｂは、一端が接地され、他端がキャパシタインダクタ切り換えスイッチ７ｂに接続されている。
インダクタ９ｂは、一端が接地され、他端がキャパシタインダクタ切り換えスイッチ７ｂに接続されている。
【００１９】
また、キャパシタインダクタ切り換えスイッチ７ｃは、キャパシタ８ｃまたはインダクタ９ｃと接続、またはキャパシタ８ｃとインダクタ９ｃと遮断するように切り換えを行う。
キャパシタ８ｃは、一端が接地され、他端がキャパシタインダクタ切り換えスイッチ７ｃに接続されている。
インダクタ９ｃは、一端が接地され、他端がキャパシタインダクタ切り換えスイッチ７ｃに接続されている。
図１と同一符号は同一又は相当部分を示し説明を省略する。
【００２０】
また、実施の形態１に示した接地と短絡または接地から開放するスイッチに、キャパシタまたはインダクタを切り換えるキャパシタインダクタ切り換えスイッチ７を組み合わせてもよい。
図４は、この発明の実施の形態２における、可変イコライザ１の構成図である。
図４において、スイッチ６ａと６ｂは、一端が接地され、他端が伝送線路５と接続されていて、伝送線路５を接地と短絡または接地から開放する切り換えを行う。そして、切り換えスイッチ７ｃは、キャパシタ８ｃまたはインダクタ９ｃと接続、またはキャパシタ８ｃとインダクタ９ｃと遮断するように切り換えを行う。
キャパシタ８ｃは、一端が接地され、他端がスイッチ７ｃと接続されている。また、インダクタ９ｃは一端が接地され、他端がスイッチ７ｃと接続されている。
【００２１】
以上のような構成により、例えばマイクロ波の振幅周波数特性を変化させる場合に、キャパシタインダクタ切り換えスイッチ７で、伝送線路５にキャパシタまたはインダクタを接続することにより、伝送線路５と一端が接地されたスイッチとの接続に生じる寄生成分の特性劣化を取り消して、振幅周波数特性を変化させることができる。
【００２２】
実施の形態３．
実施の形態１では、主線路３にシャント抵抗４を接続した例を説明したが、ここでは、主線路３とシャント抵抗４との間にスイッチを設けた場合についての実施の形態を示す。
図５は、この発明の実施の形態３における、可変イコライザ１の構成図である。
図５において、抵抗切り換えスイッチ１０は、一端が接地され、他端がシャント抵抗４に接続されている。そして、シャント抵抗４は、一端が抵抗切り換えスイッチ１０に接続され、他端が主線路３に接続されている。図１と同一符号は同一又は相当部分を示し説明を省略する。
このような構成で、抵抗切り換えスイッチ１０によって接地と短絡すると、主線路３に接続されたシャント抵抗４が有効となり、通過振幅は減衰する。
また、抵抗切り換えスイッチ１０によって接地から開放すると、主線路３は接地から開放された状態となり、通過振幅は増加する。
【００２３】
図６は、この発明の実施の形態３における、可変イコライザ１の周波数特性を示す図である。
この例では、第一の状態、第三の状態は、実施の形態１と同様にスイッチ６ａから６ｃを接続した状態で、抵抗切り換えスイッチ１０により主線路３が接地と短絡している場合の通過振幅を示す。また、第二の状態は、実施の形態１と同様にスイッチ６ａおよび６ｃを接続した状態で、抵抗切り換えスイッチ１０により主線路３が抵抗を介して接地から開放された場合の通過振幅を示す。このように主線路３に接続された抵抗と、接地との間に抵抗切り換えスイッチ１０を設けて主線路３が接地から開放された状態にすることで、通過振幅を増加することができ、動作周波数での通過振幅の振幅周波数特性の変化のばらつきを低減することができる。
【００２４】
以上のように、接地された抵抗と主線路３との間に、抵抗切り換えスイッチ１０を設けることにより、主線路３が接地と短絡または接地から開放する切り換えを行い、抵抗の効果を見せる場合と見せない場合を選択可能にする。選択可能にすることにより、振幅周波数特性を保ったまま通過振幅を増減することができ、周波数特性の変化のばらつきを低減することができる。
【００２５】
実施の形態４．
実施の形態１では、１つの伝送線路５を備えたものについて説明したが、これを複数にした場合の実施の形態を示す。
図７は、この発明の実施の形態４における、可変イコライザ１の構成図である。
図７において、伝送線路５ａと５ｂは主線路３と電磁的に結合されている。そして、伝送線路５ａには、スイッチ６ａ、６ｂ、６ｃが接続されている。また、伝送線路５ｂには、スイッチ６ａ、６ｂ、６ｃが接続されている。また、シャント抵抗４は、一端が接地され、他端が主線路３と接続されている。主線路３とシャント抵抗４との接続は、主線路３が伝送線路５ａと５ｂと電磁的に結合されていない側面のいずれかの位置で接続されている。ここでは、主線路３の中央で接続されている例を示す。
【００２６】
スイッチ６ａ、６ｂ、６ｃは一端が接地され、他端が伝送線路５ａに接続されている。そして、スイッチ６ａ，６ｂ，６ｃによって、伝送線路５ａを接地と短絡または接地から開放するように切り換える。
また、スイッチ６ｄ、６ｅ、６ｆは一端が接地され、他端が伝送線路５ｂに接続されている。そして、スイッチ６ｄ、６ｅ、６ｆによって、伝送線路５ｂを接地と短絡または接地から開放するように切り換える。図１と同一符号は同一又は相当部分を示し説明を省略する。
【００２７】
このようにスイッチ６の数を増やすことにより、通過・減衰周波数における通過振幅の状態の数を増やすことができる。そのため、例えば、マイクロ波のようなバリエーションのある振幅周波数特性の変更にも柔軟に対応できる。
【００２８】
実施の形態５．
実施の形態１では、主線路３と伝送線路５を電磁的に結合したものについて説明したが、これを更に回路素子で結合した場合の実施の形態を示す。
図８は、この発明の実施の形態５における、可変イコライザ１の構成図である。
図８において、主線路３と伝送線路５は電磁的に結合され、更に抵抗１１ａ、１１ｂ、１１ｃでも結合されている。抵抗１１ａは、一端が主線路３に接続され、他端が伝送線路５に接続されている。同様に、抵抗１１ｂ、１１ｃも一端が主線路３に接続され、他端が伝送線路５に接続されている。図１と同一符号は同一又は相当部分を示し説明を省略する。
【００２９】
このように主線路３と伝送線路５を更に抵抗１１で結合することにより、図２に示した動作周波数での通過振幅を変えることができる。そのため、主線路３と伝送線路５の電磁結合だけでは、所望の振幅周波数特性の変化が得られない場合に効果がある。例えば、動作周波数が非常に低い場合に、主線路３と伝送線路５を電磁結合だけで構成しようとすると、伝送線路５のサイズが極めて大きくなってしまうが、本実施の形態の様に更に抵抗１１で結合することにより、小型の伝送線路５で振幅周波数特性を変えることができる。
【００３０】
実施の形態６．
実施の形態５では、主線路３と伝送線路５との電磁的な結合に、更に抵抗で結合した例を示したが、ここではキャパシタによって結合した場合についての実施の形態を示す。
図９は、この発明の実施の形態６における、可変イコライザ１の構成図である。
図９において、主線路３と伝送線路５は電磁的に結合され、更にキャパシタ１２ａ、１２ｂ、１２ｃでも結合されている。キャパシタ１２ａは、一端が主線路３に接続され、他端が伝送線路５に接続されている。同様に、キャパシタ１２ｂ、１２ｃも、一端が主線路３に接続され、他端がと伝送線路５に接続されている。図１と同一符号は同一又は相当部分を示し説明を省略する。
【００３１】
このように主線路３と伝送線路５を更にキャパシタ１２で結合することにより、図２に示した動作周波数での振幅周波数特性を変えることができる。即ち、主線路３と伝送線路５との結合の強さの自由度をつけることができ、小型の伝送線路５で振幅周波数特性を多様に変えることができる。実施の形態５と同様の効果もある。
【００３２】
実施の形態７．
ここでは、実施の形態１で示した可変イコライザ１を、より実装を容易にする構成にしたものについて説明する。
図１０は、この発明の実施の形態７における、可変イコライザ１の構成図である。
図１０において、スイッチ６ａは半導体基板１３ａ上に構成され、スイッチ６ｂは半導体基板１３ｂ上に構成され、スイッチ６ｃは半導体基板１３ｃ上に構成されている。
また、誘電体基板１４上に、入力端子２ａと、出力端子２ｂと、主線路３と、シャント抵抗４と、伝送線路５が構成されている。
【００３３】
そして、半導体基板１３ａ上のスイッチ６ａの一端が誘電体基板１４上の伝送線路５に接続され、他端がスイッチ制御回路１５に接続されている。
同様に、半導体基板１３ｂ上のスイッチ６ｂの一端が誘電体基板１４上の伝送線路５に接続され、他端がスイッチ制御回路１５に接続されている。
また、半導体基板１３ｃ上のスイッチ６ｃの一端が誘電体基板１４上の伝送線路５に接続され、他端がスイッチ制御回路１５に接続されている。
【００３４】
スイッチ６ａとスイッチ６ｃは伝送線路５の両端に接続され、スイッチ６ｂは伝送線路５の両端から同じ距離の中央の位置に接続されている。
そして、スイッチ制御回路１５は、誘電体基板１４上の伝送線路５が接地と短絡または接地から開放するように、半導体基板１３ａ上のスイッチ６ａ、半導体基板１３ｂ上のスイッチ６ｂ、半導体基板１３ｃ上のスイッチ６ｃをそれぞれ制御する。
このように構成することにより、実施の形態１と同様の効果があり、より実装を容易にすることができる。
【００３５】
実施の形態８．
実施の形態７では、スイッチ６ａ、６ｂ、６ｃを備えた半導体基板を別々に構成したものを示したが、ここでは、これらを一体化した場合について示す。
図１１は、この発明の実施の形態８における、可変イコライザ１の構成図である。
図１１において、スイッチ６ａ、６ｂ、６ｃは、１つの半導体基板１３上に構成されている。そして、半導体基板１３上のスイッチ６ａの一端が誘電体基板１４上の伝送線路５に接続され、他端がスイッチ制御回路１５に接続されている。
【００３６】
また、半導体基板１３上のスイッチ６ｂの一端が誘電体基板１４の伝送線路５に接続され、他端がスイッチ制御回路１５に接続されている。また、半導体基板１３上のスイッチ６ｃの一端が誘電体基板１４の伝送線路５に接続され、他端がスイッチ制御回路１５に接続されている。
半導体基板１３上のスイッチ６ａと６ｃは、誘電体基板１４上の伝送線路５の両端に接続され、半導体基板１３上のスイッチ６ｂは、誘電体基板１４上の伝送線路５の両端から同じ距離の中央の位置に接続されている
【００３７】
スイッチ制御回路１５は、スイッチ６ａ、６ｂ、６ｃに接続された伝送線路５が接地と短絡または接地から開放するように、半導体基板１３上のスイッチ６ａ、６ｂ、６ｃをそれぞれ制御する。
誘電体基板１４上の入力端子２ａと、出力端子２ｂと、主線路３と、シャント抵抗４と、伝送線路５の構成は、実施の形態７と同様である。
このように構成することにより、実施の形態１と同様の効果があり、実施の形態７に比べて可変イコライザの実装をより簡易にすることができる。
【００３８】
実施の形態９．
実施の形態８では、入力端子２ａ、出力端子２ｂ、主線路３、シャント抵抗４、伝送線路５を誘電体基板１４上に構成したものを示したが、ここでは、これらを半導体基板１３上に構成した場合について示す。
図１２は、この発明の実施の形態９における、可変イコライザ１の構成図である。
図１２において、入力端子２ａ、出力端子２ｂ、主線路３、シャント抵抗４、伝送線路５、スイッチ６ａ、６ｂ、６ｃは半導体基板１３上に構成される。
【００３９】
半導体基板１３上のスイッチ６ａ、６ｂ、６ｃのそれぞれは、一端が半導体基板１３上で伝送線路５と接続され、他端がスイッチ制御回路１５と結合されている。
半導体基板１３上のスイッチ６ａと６ｃは、半導体基板１３上の伝送線路５の両端に接続され、半導体基板１３上のスイッチ６ｂは、半導体基板１３上の伝送線路５の両端から同じ距離の中央の位置に接続されている。
そして、スイッチ制御回路１５は、スイッチ６ａ、６ｂ、６ｃと接続されている伝送線路５が接地と短絡または接地から開放するように、スイッチ６ａ、６ｂ、６ｃをそれぞれ制御する。
このように構成することにより、実施の形態１と同様の効果があり、実施の形態８に比べて可変イコライザの実装をより簡易にすることができる。
【００４０】
実施の形態１０．
実施の形態１から９は、手動で制御信号を与えることにより振幅周波数特性を変化させる可変イコライザを構成したものを示したが、以降は自動的に制御信号を与えることで振幅周波数特性を変化させる可変イコライザについて実施の形態を示す。
図１３は、この発明の実施の形態１０における、可変イコライザ１の構成図である。
図１３において、可変イコライザ１は、実施の形態１から９のいずれかに示した可変イコライザ１０１のスイッチ６を制御信号生成回路１６で生成された制御信号により、切り換える構成となっている。本実施の形態１０で示す可変イコライザ１は、実施の形態１から９のいずれかに示した可変イコライザ１０１、スイッチ制御回路１５、制御信号生成回路１６、結合器１７、検波回路１７から構成されている。
【００４１】
結合器１７は、入力端子２ａ、可変イコライザ１０１の主線路３、および検波回路１８に接続されている。そして、入力端子２ａから入力された入力信号を可変イコライザ１０１に出力し、また入力信号の一部を検波回路１８に出力する。
【００４２】
検波回路１８は、結合器１７と制御信号生成回路１６に接続されている。そして、結合器１７を介して入力される入力信号の振幅周波数特性を検出し、検出した振幅周波数特性を制御信号生成回路１６に出力する。
【００４３】
制御信号生成回路１６は、検波回路１８とスイッチ制御回路１５に接続されている。そして検波回路１８から入力された振幅周波数特性を補償するように、可変イコライザ１０１のスイッチ６を切り換える制御信号を生成し、生成した制御信号をスイッチ制御回路１５に出力する。
【００４４】
スイッチ制御回路１５は、制御信号生成回路１６とイコライザ１０１に接続されている。そして、制御信号生成回路１６から入力された制御信号に基づいて、可変イコライザ１０１のスイッチ６を切り換える。
【００４５】
可変イコライザ１０１は、出力端子２ｂ、スイッチ制御回路１５、および結合器１７に接続されている。そして、スイッチ制御回路１５によって、制御信号生成回路１６が生成した制御信号に基づいてスイッチ６が自動的に切り替わり、結合器１７から入力された入力信号に対して振幅周波数特性を変更した信号を出力端子２ｂに出力する。
【００４６】
図１４は、この発明の実施の形態１０における、可変イコライザ１の動作を示す説明図である。
可変イコライザ１は、入力端子２ａに図１４に示す様なチャープ信号１９が入力されたときに、この振幅周波数特性を平坦化するように動作するものとする。
まず、入力端子２ａに入力されたチャープ信号１９は、結合器１７を介して可変イコライザ１０１に入力され、またその一部のチャープ信号１９ａが検波回路１８に入力される。検波回路１８は、入力されたチャープ信号１９ａの包絡線、すなわち入力信号の振幅周波数特性２１を検出し、検出した振幅周波数特性２１を制御信号生成回路１６に出力する。
【００４７】
制御信号生成回路１６は、入力された振幅周波数特性２１を基にスイッチ６を切り換える制御信号を生成し、生成した制御信号をスイッチ制御回路１５に出力する。そして、スイッチ制御回路１５は、制御信号生成回路１６から入力された制御信号に基づいて、可変イコライザ１０１のスイッチ６を切り換える。
すると可変イコライザ１０１では、制御信号生成回路１６で生成された制御信号によってスイッチ６が切り換えられ、平坦化されたチャープ信号２１が出力端子２ｂに出力される。
【００４８】
このように、結合器１７を介して検波回路１８によって、入力信号から振幅周波数特性を予め検出し、その振幅周波数特性を補償するようにスイッチ６を切り換える制御信号を制御信号生成回路１６で生成することによって、自動的に振幅周波数特性を変化させることができる。
【００４９】
実施の形態１１．
図１５は、この発明の実施の形態１１における、可変イコライザ１の構成図である。
図１５において、可変イコライザ１は、実施の形態１から９のいずれかに示した可変イコライザ１０１、スイッチ制御回路１５、制御信号生成回路１６、結合器１７、検波回路１７から構成されている。
本実施の形態は、制御信号生成回路１６が、可変イコライザ１０１の出力信号から検出した振幅周波数特性を用いて制御信号を生成し、この制御信号で可変イコライザ１０１のスイッチ６を切り換えるところが実施の形態１０と異なる。
【００５０】
結合器１７は、出力端子２ｂ、可変イコライザ１０１の主線路３、および検波回路１８に接続されている。そして、結合器１７は、可変イコライザ１０１から出力された出力信号を出力端子２ｂに出力し、また出力信号の一部を検波回路１８に出力する。
【００５１】
検波回路１８は、結合器１７と制御信号生成回路１６に接続されている。そして、結合器１７を介して入力された、可変イコライザ１０１からの出力信号の振幅周波数特性を検出し、検出した振幅周波数特性を制御信号生成回路１６に出力する。
【００５２】
制御信号生成回路１６は、検波回路１８とスイッチ制御回路１５に接続されている。そして、検波回路１８から入力された振幅周波数特性を補償するように、可変イコライザ１０１のスイッチ６を切り換える制御信号を生成し、生成した制御信号をスイッチ制御回路１５に出力する。
【００５３】
スイッチ制御回路１５は、制御信号生成回路１６と可変イコライザ１０１に接続されている。そして、制御信号生成回路１６から入力される制御信号に基づいて、可変イコライザ１０１のスイッチ６を切り換える。
【００５４】
可変イコライザ１０１は、入力端子２ａ、スイッチ制御回路１５、および結合器１７に接続されている。そして、スイッチ制御回路１５によって、制御信号生成回路１６で生成された制御信号に基づいて自動的にスイッチ６が切り換えられ、入力端子２aから入力された入力信号に対して振幅周波数特性を変更した信号を結合器１７に出力する。
【００５５】
このように、可変イコライザ１０１の出力信号から、検波回路１８によって振幅周波数特性を予め検出し、その振幅周波数特性を補償するようにスイッチ６を切り換える制御信号を制御信号生成回路１６で生成するので、自動的、再帰的に振幅周波数特性を変化させることができる。
【００５６】
実施の形態１２．
図１６は、この発明の実施の形態１２における、可変イコライザ１の構成図である。
図１６において、可変イコライザ１は、第１の入力端子２a、第２の入力端子２ｂ、第１の結合器１７a、第２の結合器１７ｂ、第１の検波回路１８a、第２の検波回路１８ｂ、制御信号生成回路１６、第１のスイッチ制御回路１５ａ、第２のスイッチ制御回路１５ｂ、実施の形態１から９のいずれかに示した第１の可変イコライザ１０１a、実施の形態１から９のいずれかに示した第２の可変イコライザ１０１ｂ、第１の出力端子２ｂ、第２の入力端子から構成されている。
【００５７】
実施の形態１２では、複数の入力端子から入力された入力信号に対して実施の形態１０の構成を用いたものであり、第１の検波回路１８ａにより検出された第１の振幅周波数と、第２の検波回路１８ｂにより検出された第２の振幅周波数特性から、共通の制御信号生成回路１６でそれぞれの制御信号を生成する構成となっている。
そのため、制御信号生成回路１６は、第１の検波回路１８ａ、第２の検波回路１８ｂ、第１のスイッチ制御回路１５ａ、第２のスイッチ制御回路１５ｂに接続されている。
【００５８】
本実施の形態で示す可変イコライザ１は、第１の入力端子２aから入力された第１の入力信号の一部が、第１の結合器１７aを介して第１の検波回路１８aに入力される。そして、第１の検波回路１８aが第１の入力信号から振幅周波数特性を検出し、検出した第１の振幅周波数特性を制御信号生成回路１６に出力する。制御信号生成回路１６は、第１の振幅周波数特性を補償するように、可変イコライザ１０１ａのスイッチ６を切り換える第１の制御信号を生成し、スイッチ制御回路１５ａに出力する。すると、可変イコライザ１０１ａでは、スイッチ制御回路１５ａによって、第１の制御信号に基づいて、自動的に可変イコライザ１０１ａのスイッチ６が切り換えられ、第１の入力信号に対して、振幅周波数特性を変更した信号を第１の出力端子２ｂに出力する。
【００５９】
また、第２の入力端子２ｃから入力された第２の入力信号の一部が、第２の結合器１７ｂを介して第２の検波回路１８ｂに入力される。そして、第２の検波回路１８ｂが第２の入力信号から第２の振幅周波数特性を検出し、第２の振幅周波数特性を制御信号生成回路１６に出力する。制御信号生成回路１６は、第２の振幅周波数特性を補償するように、可変イコライザ１０１ｂのスイッチ６を切り換える第２の制御信号を生成し、スイッチ制御回路１５ｂに出力する。すると、可変イコライザ１０１ｂでは、スイッチ制御回路１５ｂによって、第２の制御信号に基づいて、自動的に可変イコライザ１０１ｂのスイッチ６が切り換えられ、第２の入力信号に対して、振幅周波数特性を変更した信号を第２の出力端子２ｄに出力する。
【００６０】
このように、複数の入出力端子を持つ場合についても、制御信号生成回路１６は共通化して構成できるので、自動的に振幅周波数特性を変化されることができ、かつ装置の小型化に有効である。
【００６１】
実施の形態１３．
図１７は、この発明の実施の形態１３における、可変イコライザ１の構成図である。
図１７において、可変イコライザ１は、第１の入力端子２a、第２の入力端子２ｂ、実施の形態１から９のいずれかに示した第１の可変イコライザ１０１a、実施の形態１から９のいずれかに示した第２の可変イコライザ１０１ｂ、第１の結合器１７a、第２の結合器１７ｂ、第１の検波回路１８a、第２の検波回路１８ｂ、制御信号生成回路１６、スイッチ制御回路１５ａ、スイッチ制御回路１５ｂ、第１の出力端子２ｂ、第２の入力端子から構成されている。
【００６２】
実施の形態１３では、複数の入力端子から入力された入力信号に対して、実施の形態１１の構成を用いたものであり、第１の可変イコライザ１０１からの出力信号に対して検出された第１の振幅周波数特性と、第２の可変イコライザからの第２の出力信号に対して検出された第2の振幅周波数特性から、共通の制御信号生成回路１６でそれぞれの制御信号を生成する構成となっている。
【００６３】
本実施の形態で示す可変イコライザ１は、第１の入力端子２ａから入力された第１の入力信号に対して、第１のイコライザ１０１ａで振幅周波数特性を変更した第１の信号を第１の結合器１７ａに出力する。  そして、第１の結合器１７ａは入力された第１の信号を第１の出力端子２ｂに出力し、また入力された第１の信号の一部を第１の検波回路１８ａに出力する。そして、第１の検波回路１８ａは入力された第１の信号から第１の振幅周波数特性を検出して、第１の振幅周波数特性を制御信号生成回路１６に出力する。そして、制御信号生成回路１６は、第１の振幅周波数特性を補償するように、イコライザ１０１ａのスイッチ６を切り換える第１の制御信号を生成し、第１の制御信号をスイッチ制御回路１５ａに出力する。すると、可変イコライザ１０１ａでは、第１の制御信号に基づいて、自動的に可変イコライザ１０１ａのスイッチ６が切り換えられ、第１の入力信号に対して、第１の振幅周波数特性を変更した信号を第１の結合器１７ａに出力する。
【００６４】
また、第２の入力端子２ｃから入力された第２の入力信号に対して、第２のイコライザ１０１ｂで振幅周波数特性を変更した第２の信号を第２の結合器１７ｂに出力する。そして、第２の結合器１８ｂは入力された第２の信号を第２の出力端子に出力し、また入力された第２の信号の一部を第２の検波回路１８ｂに出力する。そして、第２の検波回路１８ｂは入力された第２の信号から第２の振幅周波数特性を検出して、第２の振幅周波数特性を制御信号生成回路１６に出力する。そして制御信号生成回路１６は、第２の振幅周波数特性を補償するように、イコライザ１０１ｂのスイッチ６を切り換える第２の制御信号を生成し、第２の制御信号をスイッチ制御回路１５ｂに出力する。すると、可変イコライザ１０１ｂでは、スイッチ制御回路５ｂによって、第２の制御信号に基づいて、自動的に可変イコライザ１０１ｂのスイッチ６が切り換えられ、第２の入力信号に対して、第２の振幅周波数特性を変更した信号を第２の出力端子２ｄに出力する。
【００６５】
このように、複数の入出力端子から入力された入力信号に対して、可変イコライザ１で自動的に振幅周波数特性を変化させることができ出力信号に対して、制御信号生成回路１６を共通化して、自動的、再帰的に振幅周波数特性を変化させることができ、かつ装置の小型化に有効である。
【符号の説明】
【００６６】
１  可変イコライザ、２ａ  入力端子、２ｂ  出力端子、３  主線路、４  シャント抵抗、５  伝送線路、６  スイッチ、７  キャパシタインダクタ切り換えスイッチ、８  キャパシタ、９  インダクタ、１０  抵抗切り換えスイッチ、１１  抵抗、１２  キャパシタ、１３  半導体基板、１４  誘導体基板、１５  スイッチ制御回路、１６  制御信号生成回路、１７  結合器、１８  検波回路。    
【図１】
2015233265.tif 000003
【図２】
2015233265.tif 000004
【図３】
2015233265.tif 000005
【図４】
2015233265.tif 000006
【図５】
2015233265.tif 000007
【図６】
2015233265.tif 000008
【図７】
2015233265.tif 000009
【図８】
2015233265.tif 000010
【図９】
2015233265.tif 000011
【図１０】
2015233265.tif 000012
【図１１】
2015233265.tif 000013
【図１２】
2015233265.tif 000014
【図１３】
2015233265.tif 000015
【図１４】
2015233265.tif 000016
【図１５】
2015233265.tif 000017
【図１６】
2015233265.tif 000018
【図１７】
2015233265.tif 000019
【図１８】
2015233265.tif 000020